(57)【要約】  本発明は、ＲＡＫＥ受信器岐路における拡散コード遅延の設定に係る。各ＲＡＫＥ岐路の周囲の１組の伝播遅延ポイントにおいて信号の強度を決定する(300)。測定により信号強度を推定できる領域内で遅延変化が生じるように各岐路におけるコード遅延変化を制限する(302)。所定値を越えるようにコード遅延間の差を制限する(304)。コード遅延に対する解を決定し(306)、これは、処理されるべき岐路及び遅延の程度先行する岐路に対するコード遅延候補を含む。上記解は、処理されるべき岐路及び先行する岐路における信号強度の和を最大にする。最後に決定された解に基づいて岐路遅延を選択する(308)。
2005513855.tif 000002
【特許請求の範囲】
【請求項１】
ＲＡＫＥ受信器岐路の拡散コード遅延を設定するための方法において、
各ＲＡＫＥ岐路の周囲の１組の伝播遅延ポイントにおいて多経路伝播信号の強度を決定し(300)、
測定により信号強度を推定できる領域内で遅延変化が生じるように各岐路におけるコード遅延変化を制限し(302)、
所定値を越えるように岐路におけるコード遅延間の差を制限し(304)、
受信器岐路のコード遅延に対する解を決定し(306)、これは、処理されるべき岐路及び遅延の程度先行する岐路に対するコード遅延候補を含み、
処理されるべき岐路における各許容コード遅延変化に対して特定の解が与えられるようにし、上記解は、処理されるべき岐路及び該岐路に先行する岐路に対するコード遅延候補を含み、上記解は、処理されるべき岐路及び先行する岐路における信号強度の和を最大にするが、上記解において、処理されるべき岐路のコード遅延候補の値がせいぜい上記コード遅延変化に対応するコード遅延に等しいという制限があり、そして上記解を上記許容最大遅延の程度で形成し、そして
最後に決定された解に基づいて岐路遅延を選択する(308)、
という段階を備えたことを特徴とする方法。
【請求項２】
上記岐路におけるコード遅延間の差の値は、少なくともプリセット最小距離に対応しなければならない請求項１に記載の方法。
【請求項３】
処理されるべき岐路ｉが、処理されるべき第１岐路でない場合には、上記解に含まれる以前の岐路のコード遅延は、以前の岐路に対して形成された解ＳX（ｉ−１）からの遅延の程度で得られ、ここで、Ｘは、考えられる最大値であるように選択され、これにより、岐路ｉと該岐路に先行する岐路ｉ−１とにおけるコード遅延候補間の差がプリセット最小距離を越えるようにする請求項２に記載の方法。
【請求項４】
上記岐路の最小距離δminは、チップの巾ＴCに対してδmin＝３ＴC／４であるように関連する請求項２に記載の方法。
【請求項５】
上記岐路の最小距離は、拡散コードチップの長さに等しい請求項２に記載の方法。
【請求項６】
上記ＲＡＫＥ受信器において設定されるべき岐路のコード遅延は、処理されるべき最後の岐路Ｎに対して形成された解ＳM（Ｎ）から読み取られ、但し、Ｍは、岐路Ｎに対して許された最大コード遅延追加である請求項１に記載の方法。
【請求項７】
岐路におけるコード遅延に調整ステップεを与え、
各岐路におけるコード遅延追加に対して値−ε、０及び＋εを許容し、
許容されたコード遅延の追加値に対応する遅延ポイントにおいて受信信号の強度を推定する、
という段階を備えた請求項１に記載の方法。
【請求項８】
上記岐路におけるコード遅延の調整ステップεは、チップの巾ＴCに対してε＝ＴC／８のように関連する請求項７に記載の方法。
【請求項９】
上記岐路におけるコード遅延の調整ステップεは、チップの巾ＴCに対してε＝ＴC／１６のように関連する請求項７に記載の方法。
【請求項１０】
ＲＡＫＥ受信器岐路の拡散コード遅延を設定する方法において、
各岐路のコード遅延に変化限界を与え、
遅延の程度で岐路の拡散コード遅延推定を決定し、
既に決定された岐路のコード遅延推定を使用して特定岐路の遅延値としてコード遅延推定を決定して、
受信器岐路の遅延値として所定数の解を決定し、これらの解は、既に処理された全ての岐路に対するコード遅延推定を含み、これらの解において、岐路のコード遅延間の差が所定値を越え、そして上記解の間で特定岐路のコード遅延推定を選択して、選択された解のコード遅延推定に対応する信号強度の和が最大となるようにし、そして
決定されるべき最後の岐路において選択された解のコード遅延推定に対応するように岐路のコード遅延を設定する、
という段階を備えたことを特徴とする方法。
【請求項１１】
岐路を備えたＲＡＫＥ受信器において、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制約があり、更に、上記解を許容最大遅延の程度に基づいて形成し、そして最後に決定された解に基づいて岐路遅延を選択するように構成された手段(414, 568)と、
を備えたことを特徴とするＲＡＫＥ受信器。
【請求項１２】
上記手段(414, 568)は、少なくとも所定の最小距離を、岐路におけるコード遅延の差として設定するように構成された請求項１１に記載の受信器。
【請求項１３】
上記手段(414, 568)は、拡散コードチップの巾をＴCとすれば、δmin＝３ＴC／４を、岐路の最小距離として設定するように構成された請求項１１に記載の受信器。
【請求項１４】
上記手段(414, 568)は、拡散コードチップの巾に等しい岐路の最小距離の値を設定するように構成された請求項１１に記載の受信器。
【発明の詳細な説明】
【技術分野】
【０００１】
本発明は、ＲＡＫＥ受信器の岐路に対して遅延を設定する方法に係る。
【背景技術】
【０００２】
無線波の伝播条件は、通常、セルラー無線システムのような無線システムにおいて常時変化し、時間及び場所の関数として無線信号の変動、即ちフェージングを生じさせる。チャンネルインパルス応答に生じる変化は、媒体の物理的な変化（例えば、温度、圧力及び蒸気の部分圧力の関数として媒体に生じる屈折率の変化）から引き起こされることもあるし、或いはリンクの幾何学形状の変化（送信器又は受信器の移動或いはリンク上の障害物）から生じることもある。
【０００３】
１つの信号フェージングモードである高速フェージングは、送信器と受信器との間の種々の経路に沿って信号が伝播するセルラー無線環境に対する多経路伝播特性から生じる。このようなチャンネルは、レイリーフェージングチャンネル（多経路伝播信号成分しか含まない）、又はフェージングライスチャンネル（安定な又は直接伝播の、或いは強力な鏡面反射部分も含む受信信号）と称される。
【０００４】
多経路伝播信号成分は、異なる伝播経路に沿って伝播しているので、受信器において位相が異なる。位相の異なるこのような信号成分がＲＡＫＥ受信器に使用される。異なる岐路により受信された信号成分が合成されたときには、受信信号のエネルギーが最大となる。ＲＡＫＥ受信器は、通常、多数の岐路を備え、その遅延は、例えば、チャンネルのインパルス応答から測定された異なる信号成分の遅延に対応するように設定される。ＲＡＫＥ受信器の遅延を設定する方法は、コード位相捕捉又はコード捕捉方法及びコードトラッキング方法と称される。通常、コードが先ずサーチされ、その後、コードトラッキングが実行され、そこで、コードサーチ段階中に設定された遅延値が指定される。参考としてここに援用する特許公告ＦＩ９８２８５６号又は特許公告ＷＯ００／４１３２７号は、ＲＡＫＥ受信器の公知のコード位相捕捉方法を開示している。
【０００５】
ＲＡＫＥ受信器は、例えば、ＵＭＴＳシステム（ユニバーサル移動テレコミュニケーションズシステム）に使用され、ここでは、周波数リソースは、ブロードバンドデータ送信システムであるコード分割多重アクセス（ＣＤＭＡ）により使用するように分割される。ブロードバンドシステムでは、ユーザの狭帯域データ信号は、非常に広い帯域において、データ信号より広い帯域である拡散コードで変調される。ＵＭＴＳシステムでは、多数のユーザが同じ周波数帯域で同時に送信し、データ信号は、受信器において擬似ランダム拡散コードに基づいて互いに分離される。
【０００６】
拡散コードは、一般に、長い擬似ランダムビットシーケンスから発生される。拡散コードのビットレートは、データ信号より相当に高く、拡散コードをデータビット及び記号から区別するために、それらをチップと称する。ユーザの各データ記号は、拡散コードチップで乗算される。従って、狭帯域データ信号は、拡散コードにより使用される周波数帯域にわたって拡散する。拡散コードは、１つ以上のデータビットを含んでもよい。
【発明の開示】
【発明が解決しようとする課題】
【０００７】
ＣＤＭＡシステムでは、ＲＡＫＥ受信器は、特に拡散コードシーケンス信号成分と同期される。次いで、コード位相捕捉及びコードトラッキングを実行するために、受信器の拡散コードジェネレータは、通常、インパルス応答の最大ポイントから得られた遅延値に基づいて同期される。同期、即ち遅延の設定に伴う問題は、サンプル数が非常に多数であるためにコード位相捕捉及びコードトラッキングに大量の計算容量を必要とすることである。又、インパルス応答は、時間の関数として変化する。更に、インパルス応答が明確な最大点を含まず、広い電力最大領域を含み、換言すれば、太った指の状態であるときには、公知技術で１つの岐路により受信された信号成分から決定されたインパルス応答に基づいて同期を達成することが困難であり、一般的には、受信信号の若干のエネルギーが失われる。
【課題を解決するための手段】
【０００８】
本発明の目的は、改良された方法及び改良された装置を提供することである。本発明の１つの態様として、各ＲＡＫＥ岐路の周囲の１組の伝播遅延ポイントにおいて多経路伝播信号の強度を決定し、測定により信号強度を推定できる領域内で遅延変化が生じるように各岐路におけるコード遅延変化を制限し、所定値を越えるように岐路におけるコード遅延間の差を制限し、受信器岐路のコード遅延に対する解を決定し、これは、処理されるべき岐路及び遅延の程度先行する岐路に対するコード遅延候補を含み、処理されるべき岐路における各許容コード遅延変化に対して特定の解が与えられるようにし、上記解は、処理されるべき岐路及び該岐路に先行する岐路に対するコード遅延候補を含み、上記解は、処理されるべき岐路及び先行する岐路における信号強度の和を最大にするが、上記解において処理されるべき岐路のコード遅延候補の値がせいぜい上記コード遅延変化に対応するコード遅延に等しいという制限があり、上記解を上記許容最大遅延の程度で形成し、そして最後に決定された解に基づいて岐路遅延を選択することにより、ＲＡＫＥ受信器岐路における拡散コード遅延を設定するための方法が提供される。
【０００９】
又、本発明は、ＲＡＫＥ受信器岐路の拡散コード遅延を設定する方法において、各岐路のコード遅延に変化限界を与え、遅延の程度で岐路の拡散コード遅延推定を決定し、既に決定された岐路のコード遅延推定を使用して特定岐路の遅延値としてコード遅延推定を決定して、受信器岐路の遅延値として所定数の解を決定し、これらの解は、既に処理された全ての岐路に対するコード遅延推定を含み、これらの解において、岐路のコード遅延間の差が所定値を越え、上記解の間で特定岐路のコード遅延推定を選択して、選択された解のコード遅延推定に対応する信号強度の和が最大となるようにし、そして決定されるべき最後の岐路において選択された解のコード遅延推定に対応するように岐路のコード遅延を設定するという段階を備えた方法にも係る。
【００１０】
本発明は、更に、岐路を備えたＲＡＫＥ受信器にも係る。本発明の受信器は、各ＲＡＫＥ岐路の周囲の１組の伝播遅延ポイントにおいて多経路伝播信号の強度を決定するための手段と、測定により信号強度を推定できる領域内で遅延変化が生じるように各岐路のコード遅延を変更し、そして所定値を越えるように岐路のコード遅延間の差を制限するための手段と、受信器岐路のコード遅延に対する解を決定するよう構成された手段であって、この解は、処理されるべき岐路及び遅延の程度先行する岐路に対するコード遅延候補を含み、処理されるべき岐路における各許容コード遅延変化に特定の解が与えられるようにし、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制約があり、上記解を許容最大遅延の程度に基づいて形成し、そして最後に決定された解に基づいて岐路遅延を選択するような手段とを備えている。
【００１１】
本発明は、受信信号の多数の連続サンプル、例えば、サンプリングの瞬間に比例する初期サンプル、ｎ時間サンプル及び後期サンプルを取り上げるという考え方に基づいている。これらのサンプルは、通常、インパルス応答の最大ポイント及びその周囲からの振幅値又は電力値であるのが好ましい。この方法において、遅延値は、ＲＡＫＥ受信器岐路に対して遅延の程度だけ前進することにより決定される。以前に決定された遅延値は、新たな遅延を決定するのに使用される。
【００１２】
本発明の方法及び受信器は、多数の効果を発揮する。ＲＡＫＥ受信器岐路における遅延の設定は、迅速に行われ、計算容量が節約される。というのは、チャンネルのインパルス応答を決定するのに、幾つかの、例えば、３個のサンプルしか使用されないからである。更に、インパルス応答が明確な最大点で形成されず、インパルス応答が巾の広い最大電力を有する場合には、岐路で受信された多経路伝播信号成分に基づいて決定された１組のインパルス応答測定結果によりＲＡＫＥ岐路を首尾良く最適に同期させることができ、これは、無線チャンネルから受け取られる信号のエネルギーを最大にできることを意味する。更に、この方法では、異なる岐路の遅延が互いに最小の距離に保たれ、ダイバーシティ増幅は失われない。更に、各計算段階は、以前に形成された制限された解を使用するので、この方法は、計算の複雑さに関しては最適に近い。
【発明を実施するための最良の形態】
【００１３】
以下、添付図面を参照して本発明の好ましい実施形態を一例として詳細に説明する。
【００１４】
以下の例は、ＵＭＴＳシステム（ユニバーサル移動テレコミュニケーションズシステム）において本発明の好ましい実施形態を説明するが、本発明は、これに限定されるものではない。
【００１５】
図１を参照し、移動システムの構造を一例として説明する。移動システムの主部分は、コアネットワークＣＮと、ＵＭＴＳ地上無線アクセスネットワークＵＴＲＡＮと、ユーザ装置ＵＥとを備えている。ＣＮとＵＴＲＡＮとの間のインターフェイスは、Ｉｕと称され、そしてＵＴＲＡＮとＵＥとの間のエアインターフェイスは、Ｕｕと称される。
【００１６】
ＵＴＲＡＮは、無線ネットワークサブシステムＲＮＳを含む。無線ネットワークサブシステムＲＮＳ間のインターフェイスは、Ｉｕｒと称される。ＲＮＳは、無線ネットワークコントローラＲＮＣ及び１つ以上のノードＢを備えている。ＲＮＣとノードＢとの間のインターフェイスは、Ｉｕｂと称される。ノードＢのカバレージ領域即ちセルは、図中Ｃで示されている。
【００１７】
図１に示す構成は、非常に一般的なものであり、それ故、図２は、セルラー無線システムの詳細な例を示す。図２は、最も関連性のあるブロックしか示さないが、当業者であれば、従来のセルラー無線ネットワークは、ここで詳細に説明する必要のない他の機能及び構造も含むことが明らかであろう。セルラー無線システムの詳細は、図２に示したものと異なってもよく、このような相違は、本発明には関りない。
【００１８】
セルラー無線ネットワークは、ネットワーク部分２００と、ユーザ装置２０２とを備え、ユーザ装置は、固定配置でもよいし、乗物搭載でもよいし、又は移動電話やポータブルコンピュータのようなポータブルハンドヘルド装置でもよく、無線テレコミュニケーションシステムと通信できるものである。ネットワーク部分２００は、ベーストランシーバステーション２０４を備えている。ベーストランシーバステーションは、先の図のノードＢに対応する。多数のベーストランシーバステーション２０４が、それに接続された無線ネットワークコントローラ２０６により集中式に制御される。ベーストランシーバステーション２０４は、トランシーバ２０８及びマルチプレクサユニット２１２を備えている。
【００１９】
ベーストランシーバステーション２０４は、更に、トランシーバ２０８及びマルチプレクサユニット２１２の動作を制御するための制御ユニット２１０も備えている。マルチプレクサは、多数のトランシーバ２０８により使用されるトラフィック及び制御チャンネルを１つの送信リンク２１４に配信するために使用される。送信リンク２１４は、インターフェイスＩｕｂを形成する。
【００２０】
ベーストランシーバステーション２０４のトランシーバ２０８は、ユーザ装置２０２への無線接続２１６を与えるためのアンテナユニット２１８に接続される。無線接続２１６を経て送信されるべきフレームの構造は、システム特有に決定され、エアインターフェイスＵｕと称される。
【００２１】
無線ネットワークコントローラ２０６は、グループスイッチングフィールド２２０及び制御ユニット２２２を備えている。グループスイッチングフィールド２２０は、スピーチ及びデータをスイッチングすると共にシグナリング回路を接続するために使用される。ベーストランシーバステーション２０４及び無線ネットワークコントローラ２０６により形成された無線ネットワークサブシステム２２４は、更に、トランスコーダ２２６も備えている。トランスコーダ２２６は、通常、移動サービス交換センター２２８にできるだけ接近して配置される。というのは、トランスコーダ２２６と無線ネットワークコントローラ２０６との間でスピーチをセルラー無線ネットワークモードで送信でき、従って、送信容量を節約できるからである。
【００２２】
トランスコーダ２２６は、公衆交換電話ネットワークと無線電話ネットワークとの間に使用される異なるデジタルスピーチエンコードモードを、それに適合するものへと変換し、例えば、固定ネットワークモードからセルラー無線ネットワークの別のモードへ及びそれとは逆に変換する。制御ユニット２２２は、コール制御や、移動管理や、統計学的データ及びシグナリングの収集を実行する。
【００２３】
図２は、更に、移動サービス交換センター２２８及びゲートウェイ移動サービス交換センター２３０も示しており、これは、移動電話システムを外界、このケースでは、公衆交換電話ネットワーク２３２へ接続する役割を果たす。
【００２４】
以下、ＲＡＫＥ受信器岐路の遅延を設定するための方法を、図３を参照して詳細に説明する。ＲＡＫＥ受信器岐路における遅延又はコード位相の設定は、受信信号エネルギー即ち電力を最大にしようとするものである。この方法は、岐路の遅延（コード位相）に僅かな変化を与えることにより無線チャンネルの伝播遅延プロフィールの低速変化を修正しようとするものである。測定シーケンス中に、無線チャンネルにより与えられる電力分布が各ＲＡＫＥ岐路の付近で明瞭にされる。測定シーケンスの後、ＲＡＫＥ岐路の遅延は、測定中に観察された電力プロフィールの変化に更に正確に対応するように変更され、その後、その変更された遅延をＲＡＫＥ岐路に使用して、それに続く測定シーケンスがスタートされる。
【００２５】
遅延は、通常、最小遅延差条件とも時々称される最小距離条件で与えられる。最小距離条件は、ＲＡＫＥ岐路に考えられる最低遅延差を決定し、これは、ＲＡＫＥ岐路が互いに関わりのない経路を経て伝播した信号を受信するために必要とされるものである。従って、ＲＡＫＥ岐路の最大比合成の後に得られる信号対干渉比は、ＲＡＫＥ岐路の個別の信号対干渉比の和となる。遅延は、通常、信号処理プロセッサで計算される。サーチされるべきコード位相即ち遅延値は、記号Ｄiで指示され、但し、ｉ＝１、・・・Ｎである。ＲＡＫＥ受信器岐路に対して調整されるコード位相は、多経路伝播信号が受信器に到着するときに通る遅延領域をできるだけ正確にカバーすることを意味する。更に、サーチされるべき遅延は、最小距離条件Ｄi≧Ｄi-1＋δminを満足しなければならず、ここで、ｉ＝１、・・・Ｎである。変数δminは、システムに基づいて決定されるもので、異なる信号成分を互いに分離できるように異なる岐路に対して決定された最小距離条件、即ち最小遅延差を意味する。
【００２６】
ステップ３０２において、各ＲＡＫＥ岐路の周囲の１組の伝播遅延ポイントで多経路伝播信号の強度が決定される。各岐路のコード遅延は、せいぜい信号強度が測定で分かる領域内に留まるように変更される（３０２）。岐路におけるコード遅延間の差は、所定値を越えるように制限される（３０４）。ステップ３０６では、受信器岐路におけるコード遅延に対して解が決定され、これらの解は、岐路ｉ及び該岐路より遅延の程度だけ先行する岐路に対するコード遅延候補を含み、岐路ｉにおける各許容コード遅延追加Δに対して特定の解ＳΔ（ｉ）が形成される。この解ＳΔ（ｉ）は、岐路ｉ及び該岐路に先行する岐路に対するコード遅延候補を含み、これは、岐路ｉ及びその先行岐路における信号強度の和を最大にするが、岐路ｉにおけるコード遅延候補Ｄiの値は、解ＳΔ（ｉ）において、せいぜいｄi＋Δであるという制限があり、但し、ｄiは、岐路ｉにおける現在コード遅延である。岐路ｉが処理されるべき第１岐路でない場合には、解ＳΔ（ｉ）に属する以前の岐路のコード遅延が、以前の岐路ｉ−１に対して形成された解ＳX（ｉ−１）からの遅延の程度で得られ、ここで、Ｘは、考えられる最大値となるように選択され、岐路ｉ及び先行する岐路ｉ−１におけるコード遅延候補の差は、最小距離Ｄi−Ｄi-1≧δminを越える。この方法の最後のステップ（３０８）では、岐路のコード遅延が、最後の岐路Ｎに対して形成された解ＳM（Ｎ）から読み取られ、但し、Ｍは、岐路Ｎに対して許された最大コード遅延追加である。
【００２７】
以下、図６に示す例を参照して本発明を詳細に説明する。この例では、岐路ｉに対して３組の拡散コード遅延候補が形成され、但し、ｉ＝１、・・・Ｎである。これらの組は、記号Ｓ-ε（ｉ）、Ｓ0（ｉ）及びＳ+ε（ｉ）で指示される。これらの組は、ブロック６００で形成される。各組Ｓ-ε（ｉ）、Ｓ0（ｉ）及びＳ+ε（ｉ）は、受信器岐路の合成信号強度Ｐ（Ｄ1）＋Ｐ（Ｄ2）＋・・・＋Ｐ（Ｄi）を最大にし、但し、岐路の信号強度Ｐ（Ｄi）は、遅延ポイントＤiにおいて、信号の推定電力、振幅及びエネルギー、或いは信号強度を示す別の変数を指す。これらの組は、受信器の岐路ｉ、即ち新たな遅延設定がサーチされるところの岐路、並びにその岐路に先行する岐路に対する拡散コード遅延候補を含む。岐路ｉに先行する岐路におけるコード遅延候補は、本発明の方法又は別の方法を使用して既に決定されている。当然、岐路ｉが受信器の第１岐路である場合には、それに先行する受信器岐路は存在しない。
【００２８】
この例では、組Ｓ-ε（ｉ）は、岐路ｉの遅延値Ｄi−ｄi−εを含む。組Ｓ0（ｉ）は、岐路ｉに対して、どちらが高い受信信号電力又は電力和を与えるかに基づいて、遅延値Ｄi＝ｄi、又は組Ｓ-ε（ｉ）と同じ値のいずれかを含む。対応的に、組Ｓ+ε（ｉ）は、どちらが高い受信信号電力又は電力和を与えるかに基づいて、遅延値Ｄi＝ｄi＋εで形成されるか、又は組Ｓ-ε（ｉ）と同じ値を得る。
【００２９】
次いで、岐路ｉ＋１に対する遅延候補が形成され、但し、ｉ＝１、・・・Ｎである。遅延候補の組は、記号Ｓ-ε（ｉ＋１）、Ｓ0（ｉ＋１）及びＳ+ε（ｉ＋１）で指示される。組Ｓ-ε（ｉ＋１）は、ブロック６０２で形成され、組Ｓ0（ｉ＋１）は、ブロック６０４で形成され、そして組Ｓ+ε（ｉ＋１）は、ブロック６０６で形成される。これらの組は、次のように形成される。
2005513855.tif 000003
2005513855.tif 000004
2005513855.tif 000005
但し、
Ｄi+1は、岐路ｉに後続する岐路の新たな遅延値を示し、
ｄi+1は、岐路ｉに後続する岐路の以前の遅延値を示し、
Ｐは、電力（又は受信信号エネルギー）を示し、
εは、コード遅延の変化ステップを示す。
【００３０】
2005513855.tif 000006
【００３１】
2005513855.tif 000007
【００３２】
2005513855.tif 000008
【００３３】
既知の拡散コード遅延候補Ｓ-ε（ｉ）、Ｓ0（ｉ）及びＳ+ε（ｉ）を使用してこの方法で形成されるものは、後続するコード遅延候補Ｓ-ε（ｉ＋１）、Ｓ0（ｉ＋１）及びＳ+ε（ｉ＋１）であり、これらコード遅延候補Ｓ-ε（ｉ＋１）、Ｓ0（ｉ＋１）及びＳ+ε（ｉ＋１）を使用するコード遅延候補Ｓ-ε（ｉ＋２）、Ｓ0（ｉ＋２）及びＳ+ε（ｉ＋２）であり、等々である。拡散コード遅延候補は、この方法において全ての希望の岐路に対して対応するやり方で形成される。
【００３４】
ブロック６０６では、岐路のコード遅延は、最後に決定された岐路における選択された解、好ましくは、Ｓ+ε（Ｎ）、コード遅延候補、即ちＳ+ε（ＮN）＝｛Ｄ0、Ｄ1、・・・ＤN｝に設定される。
【００３５】
上述した方法は、多数（又は少数）のステップ、例えば、ステップ−２ε、−ε、０、＋ε、＋２εにより、又は大きなステップ、好ましくは、変化ステップの倍数ε、例えば、ステップ２εを使用することによりＲＡＫＥ岐路遅延が変更されるときにも適用できる。ステップ−２ε、−ε、０、＋ε、＋２εを使用して遅延を変更するときには、３つの遅延候補の上記例を適用することにより５つの遅延候補即ちＳ-2ε（ｉ）、Ｓ-ε（ｉ）、Ｓ0（ｉ）、Ｓ+ε（ｉ）及びＳ+2ε（ｉ）が形成される。
【００３６】
上記方法は、ＲＡＫＥ岐路の合成信号対干渉比を最大にするのに必要なＲＡＫＥ岐路の最小距離条件を考慮してＲＡＫＥ岐路の遅延ポイント（コード位相）を更新するための最大合成信号強度をいかに与えるかを見つけることができ、そして必要な計算量は、ＲＡＫＥ岐路の数に正比例すると共に、各計算段階は、既に形成された制限された解を使用する。
【００３７】
上記方法の用途として、インパルス応答が広い最大値を含むような状況を取り上げることができる。従って、受信信号エネルギーは、多数の岐路の遅延値をこの最大値の領域内に設定することにより最大にすることができるが、いずれの岐路の遅延値も必ずしも広い最大値の最上点でなくてもよい。取り上げることのできる別の例は、互いに接近配置されたインパルス応答最大値であり、全受信エネルギーが最大となるように多数の受信器岐路を設定できるものである。
【００３８】
上記方法は、ブロック３０８で終わる。矢印３１０は、サンプリングから始まる方法の繰返しを示す。
【００３９】
図４は、ＲＡＫＥ受信器の一部分を例示する。この例に示すＲＡＫＥ受信器は、３つの相関岐路４０４、４０６及び４０８を備えている。岐路の数は、ここに示すものと異なってもよい。各信号成分は、異なるやり方で遅延されてアンテナ又はアンテナグループ４００により受信され、そして高周波部分４０２でフィルターされて基本帯域にダウン変換され、特定の受信器岐路に送り込まれる。又、図示された受信器は、異なる仕方で遅延された異なる岐路の信号成分を合成するダイバーシティ合成器４１２も備えている。図示された例示的解決策では、制御ユニット４１４は、コード位相の調整ファシリティを備えている。
【００４０】
信号４１６、４１８及び４２０は、各岐路に取り上げられたサンプルを制御ユニットに送信する。信号４２２、４２４及び４２６は、岐路の遅延値を調整するための制御信号を必要に応じて各岐路へ送信する。
【００４１】
次いで、ＲＡＫＥ岐路の構造を示す図５について説明する。ここに取り上げるのは、直接拡散信号を受信するための直接シーケンスＤＳ受信器である。
【００４２】
ここに述べる例に基づく受信器岐路では、信号成分から３つのサンプルが取り出される。しかしながら、サンプルの数は、ここに述べるものとは異なってもよいことに注意されたい。サンプリング手段５０８、５１０及び５１２には、ブロードバンド形式の複素数基本帯域信号が与えられ、これは、各チップからサンプルが取り出されるように構成されるのが好ましい。サンプリング手段５１０は、コードトラッキングに基づいて充分タイミングがとられると仮定され、これは、インパルス応答の最大値が発生する確率が最も高いときとしてコードトラッキングに基づいて決定された瞬間にサンプリングが行われるようにサンプリング手段５１０に対してサンプリングの瞬間が決定されることを意味する。サンプリング手段５０８のサンプリングの瞬間は、サンプリング手段５１０のサンプリングの瞬間に対して１サンプリング時間だけ遅延されるのが好ましく、そしてサンプリング手段５１２のサンプリングの瞬間は、サンプリング手段５１０のサンプリングの瞬間に対して１サンプリング時間だけ進められるのが好ましい。従って、早いサンプル、丁度のサンプル及び遅いサンプルと称される３つのサンプルが得られる。
【００４３】
受信信号を狭帯域へと構成するために、サンプリングされた信号は、コードジェネレータ５００により発生された拡散コードシーケンスで乗算される。早い、丁度及び遅い、の各サンプルには、別々に決定された拡散コード遅延を与えることができる。
【００４４】
その後、図５に示す解決策では、デマルチプレクサ５３２、５３４及び５３６を使用して信号からパイロット記号が分離される。次いで、パイロット記号は、乗算器５４０、５４２及び５４４において、ブロック５４６で形成されたパイロット記号の複素共役を使用して乗算され、そしてブロック５５０、５５２、５５４において、タイムスロット特有のパイロット記号の量で積分され、これは、無線チャンネルの多経路遅延プロフィールを決定するための構成フィルターを使用してパイロット記号がフィルタリングされることを意味する。多経路伝播プロフィールは、平均化されてもよい。複素数信号の振幅及び電力を決定するために、包絡線検出器５５６、５５８及び５６０が使用される。包絡線検出器に代わって２乗則検出器を使用することもできる。
【００４５】
ノイズを除去するためにブロック５６２、５６４及び５６６において積分が実行される。その後、信号処理プロセッサ５６８に振幅又は電力値が送り込まれて、拡散コード位相、即ち拡散コード遅延の設定コマンドが決定され、これを使用して、コードジェネレータ５００が制御される。コード位相の設定方法は、上記で説明した。図５に示す例では、図４の制御ユニット４１４が信号処理プロセッサに含まれる。又、制御ユニットは、個別のコンポーネント又は別の同様の方法を使用して実施されてもよい。又、信号処理プロセッサは、コード化のような他の信号処理手法も実行する。
【００４６】
又、遅延を設定する方法は、サンプリングの瞬間又はコード位相を同期するのに必要な情報が、パイロット信号と同様にデータ信号を処理することにより得られるようにして、パイロット信号を使用せずに適用できることにも注意されたい。
【００４７】
コード位相の制御ユニットのような上述した機能的ブロックは、多数のやり方で実施することができ、例えば、プロセッサにより実行されるソフトウェアを使用するか、或いは個別コンポーネント、ＡＳＩＣ（特定用途向け集積回路）又はその組合せを用いて形成されたロジックを使用して実施することができる。
【００４８】
以上、添付図面の例を参照して、本発明を説明したが、本発明は、これに限定されるものではなく、特許請求の範囲に規定された本発明の考え方の範囲内で多数のやり方で変更し得ることが明らかであろう。
【図面の簡単な説明】
【００４９】
【図１】テレコミュニケーションシステムの一例を示す図である。
【図２】テレコミュニケーションシステムの別の例を示す図である。
【図３】ＲＡＫＥ岐路遅延を設定するための方法段階を示すブロック図である。
【図４】ＲＡＫＥ受信器の一例を示す図である。
【図５】遅延を設定するためのＲＡＫＥ岐路の構造の一例を示す図である。
【図６】岐路の拡散コード遅延の繰返しを示す図である。
【図１】
2005513855.tif 000009
【図２】
2005513855.tif 000010
【図３】
2005513855.tif 000011
【図４】
2005513855.tif 000012
【図５】
2005513855.tif 000013
【図６】
2005513855.tif 000014
【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
ＲＡＫＥ受信器岐路の拡散コード遅延を設定するための方法において、
各ＲＡＫＥ岐路の周囲の１組の伝播遅延ポイントにおいて多経路伝播信号の強度を決定し(300)、
測定により信号強度を推定できる領域内で遅延変化が生じるように各岐路におけるコード遅延変化を制限し(302)、
所定値を越えるように岐路におけるコード遅延間の差を制限し(304)、
受信器岐路のコード遅延に対する解を決定し(306)、これは、処理されるべき岐路及び遅延の程度先行する岐路に対するコード遅延候補を含み、
処理されるべき岐路における各許容コード遅延変化に対して特定の解が与えられるようにし、上記解は、処理されるべき岐路及び該岐路に先行する岐路に対するコード遅延候補を含み、上記解は、処理されるべき岐路及び先行する岐路における信号強度の和を最大にするが、上記解において、処理されるべき岐路のコード遅延候補の値がせいぜい上記コード遅延変化に対応するコード遅延に等しいという制限があり、そして上記解を上記許容最大遅延の程度で形成し、そして
最後に決定された解に基づいて岐路遅延を選択する(308)、
という段階を備えたことを特徴とする方法。
【請求項２】
上記岐路におけるコード遅延間の差の値は、少なくともプリセット最小距離に対応しなければならない請求項１に記載の方法。
【請求項３】
処理されるべき岐路ｉが、処理されるべき第１岐路でない場合には、上記解に含まれる以前の岐路のコード遅延は、以前の岐路に対して形成された解ＳX（ｉ−１）からの遅延の程度で得られ、ここで、Ｘは、考えられる最大値であるように選択され、これにより、岐路ｉと該岐路に先行する岐路ｉ−１とにおけるコード遅延候補間の差がプリセット最小距離を越えるようにする請求項２に記載の方法。
【請求項４】
上記岐路の最小距離δminは、チップの巾ＴCに対してδmin＝３ＴC／４であるように関連する請求項２に記載の方法。
【請求項５】
上記岐路の最小距離は、拡散コードチップの長さに等しい請求項２に記載の方法。
【請求項６】
上記ＲＡＫＥ受信器において設定されるべき岐路のコード遅延は、処理されるべき最後の岐路Ｎに対して形成された解ＳM（Ｎ）から読み取られ、但し、Ｍは、岐路Ｎに対して許された最大コード遅延追加である請求項１に記載の方法。
【請求項７】
岐路におけるコード遅延に調整ステップεを与え、
各岐路におけるコード遅延追加に対して値−ε、０及び＋εを許容し、
許容されたコード遅延の追加値に対応する遅延ポイントにおいて受信信号の強度を推定する、
という段階を備えた請求項１に記載の方法。
【請求項８】
上記岐路におけるコード遅延の調整ステップεは、チップの巾ＴCに対してε＝ＴC／８のように関連する請求項７に記載の方法。
【請求項９】
上記岐路におけるコード遅延の調整ステップεは、チップの巾ＴCに対してε＝ＴC／１６のように関連する請求項７に記載の方法。
【請求項１０】
ＲＡＫＥ受信器岐路の拡散コード遅延を設定する方法において、
各岐路のコード遅延に変化限界を与え、
遅延の程度で岐路の拡散コード遅延推定を決定し、
既に決定された岐路のコード遅延推定を使用して特定岐路の遅延値としてコード遅延推定を決定して、
受信器岐路の遅延値として所定数の解を決定し、これらの解は、既に処理された全ての岐路に対するコード遅延推定を含み、これらの解において、岐路のコード遅延間の差が所定値を越え、そして上記解の間で特定岐路のコード遅延推定を選択して、選択された解のコード遅延推定に対応する信号強度の和が最大となるようにし、そして
決定されるべき最後の岐路において選択された解のコード遅延推定に対応するように岐路のコード遅延を設定する、
という段階を備えたことを特徴とする方法。
【請求項１１】
岐路を備えたＲＡＫＥ受信器において、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制約があり、更に、上記解を許容最大遅延の程度に基づいて形成し、そして最後に決定された解に基づいて岐路遅延を選択するように構成された手段(414, 568)と、
を備えたことを特徴とするＲＡＫＥ受信器。
【請求項１２】
上記手段(414, 568)は、少なくとも所定の最小距離を、岐路におけるコード遅延の差として設定するように構成された請求項１１に記載の受信器。
【請求項１３】
上記手段(414, 568)は、拡散コードチップの巾をＴCとすれば、δmin＝３ＴC／４を、岐路の最小距離として設定するように構成された請求項１１に記載の受信器。
【請求項１４】
上記手段(414, 568)は、拡散コードチップの巾に等しい岐路の最小距離の値を設定するように構成された請求項１１に記載の受信器。
【請求項１５】
ＲＡＫＥ受信器を備えたベースステーションにおいて、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制限があり、更に、上記解を許容最大遅延の程度に基づいて形成し、そして最後に決定された解に基づいて岐路遅延を選択するように構成された手段(414, 568)と、
を備えたことを特徴とするベースステーション。
【請求項１６】
上記手段(414, 568)は、少なくとも所定の最小距離を、岐路におけるコード遅延の差として設定するように構成された請求項１５に記載のベースステーション。
【請求項１７】
上記手段(414, 568)は、拡散コードチップの巾をＴCとすれば、δmin＝３ＴC／４を、岐路の最小距離として設定するように構成された請求項１５に記載のベースステーション。
【請求項１８】
上記手段(414, 568)は、拡散コードチップの巾に等しい岐路の最小距離の値を設定するように構成された請求項１５に記載のベースステーション。
【請求項１９】
ＲＡＫＥ受信器を備えたユーザターミナルにおいて、
各ＲＡＫＥ岐路の周囲の１組の伝播遅延ポイントにおいて多経路伝播信号の強度を決定するための手段(414, 568)と、
測定により信号強度を推定できる領域内で遅延変化が生じるように各岐路のコード遅延を変更し、そして所定値を越えるように岐路のコード遅延間の差を制限するための手段(414, 568)と、
受信器岐路のコード遅延に対する解を決定し、この解は、処理されるべき岐路及び遅延の程度先行する岐路に対するコード遅延候補を含み、処理されるべき岐路における各許容コード遅延変化に特定の解を与え、上記解は、処理されるべき岐路及び先行する岐路に対するコード遅延候補を含み、上記解は、処理されるべき岐路及びその岐路に先行する岐路の信号強度の和を最大にするが、処理されるべき岐路のコード遅延候補の値がせいぜい上記コード遅延変化に対応するコード遅延に等しいという制限があり、更に、上記解を許容最大遅延の程度に基づいて形成し、そして最後に決定された解に基づいて岐路遅延を選択するように構成された手段(414, 568)と、
を備えたことを特徴とするユーザターミナル。
【請求項２０】
上記手段(414, 568)は、少なくとも所定の最小距離を、岐路におけるコード遅延の差として設定するように構成された請求項１９に記載のユーザターミナル。
【請求項２１】
上記手段(414, 568)は、拡散コードチップの巾をＴCとすれば、δmin＝３ＴC／４を、岐路の最小距離として設定するように構成された請求項１９に記載のユーザターミナル。
【請求項２２】
上記手段(414, 568)は、拡散コードチップの巾に等しい岐路の最小距離の値を設定するように構成された請求項１９に記載のユーザターミナル。
【国際調査報告】
2005513855.tif 000015
2005513855.tif 000016
2005513855.tif 000017